(57)【要約】      （修正有）【課題】ブルートゥース（登録商標）イヤホンの充電ケースの充電電圧不足の場合にブルートゥースイヤホンを自動的にシャットダウンする。【解決手段】ブルートゥースイヤホンは、イヤホン充電インタフェース回路と、制御回路と、レベル変換回路と、チップモジュールとを備える。イヤホン充電インタフェース回路は、制御回路を介してブルートゥースイヤホンの電源電圧端に接続される検出端を備え、検出端が充電ケースの検知ピンに接続されると、検出端の電圧が、電源電圧端が提供した第１電圧から、充電ケースの検知ピンが提供した第２電圧に変換され、レベル変換回路に第１レベル信号を出力するように制御回路をトリガする。その後、レベル変換回路により第１レベル信号をシャットダウン信号に変換することができ、それにより、ブルートゥースイヤホンをシャットダウンするようにチップモジュールをトリガする。【選択図】図１
2020039243.tif 000002
【特許請求の範囲】
【請求項１】
イヤホン充電インタフェース回路と、制御回路と、レベル変換回路と、チップモジュールとを備えるブルートゥースイヤホンであって、
前記イヤホン充電インタフェース回路は、前記制御回路を介して前記ブルートゥースイヤホンの電源電圧端に接続されて充電ケースの検知ピンへの接続に用いられる検出端を備え、
前記検出端が前記充電ケースの検知ピンに接続されていない場合、前記検出端の電圧が前記電源電圧端から提供された第１電圧であり、
前記検出端が前記充電ケースの検知ピンに接続されている場合、前記検出端の電圧が第１電圧から、前記検知ピンが提供した第２電圧に変換され、前記レベル変換回路に第１レベル信号を出力するように前記制御回路をトリガし、
前記レベル変換回路は、前記第１レベル信号をシャットダウン信号に変換し、前記シャットダウン信号をチップモジュールに伝送し、前記シャットダウン信号に従ってブルートゥースイヤホンをシャットダウンするように前記チップモジュールをトリガすることに用いられる、ブルートゥースイヤホン。
【請求項２】
前記制御回路は、前記検出端の電圧を検出し、前記検出端の電圧が第１電圧であると検出すると、前記レベル変換回路に第２レベル信号を出力することに用いられ、
前記レベル変換回路は、前記第２レベル信号を起動信号に変換し、前記起動信号を前記チップモジュールに伝送することに用いられ、
前記チップモジュールは、前記ブルートゥースイヤホンがシャットダウンされている時に、前記起動信号に従って前記ブルートゥースイヤホンを起動させることに用いられる、ことを特徴とする請求項１に記載のブルートゥースイヤホン。
【請求項３】
前記制御回路は、マイクロコントローラモジュールを備え、前記レベル変換回路は、第１変換モジュールおよび第２変換モジュールを備え、
前記第１変換モジュールは、一端が前記マイクロコントローラモジュールの第１出力端に接続され、他端が前記チップモジュールの第１受信ピンに接続され、前記第１出力端から出力された第１レベル信号をシャットダウン信号に変換して前記シャットダウン信号を前記チップモジュールの第１受信ピンに伝送することに用いられ、
前記第２変換モジュールは、一端が前記マイクロコントローラモジュールの第２出力端に接続され、他端が前記チップモジュールの第２受信ピンに接続され、前記第２出力端から出力された第２レベル信号を起動信号に変換して前記起動信号を前記チップモジュールの第２受信ピンに伝送することに用いられる、ことを特徴とする請求項２に記載のブルートゥースイヤホン。
【請求項４】
前記制御回路は、電圧調整コンデンサモジュールおよび静電防止ダイオードモジュールをさらに備え、
前記静電防止イヤホンモジュールは、一端が前記イヤホン充電インタフェース回路の検出端に接続され、他端が前記ブルートゥースイヤホンの基準グランドに接続され、
前記電圧調整コンデンサモジュールは、第１電圧調整コンデンササブモジュールおよび第２電圧調整コンデンササブモジュールを含み、
前記第１電圧調整コンデンササブモジュールは、一端が前記イヤホン充電インタフェース回路の検出端に接続され、他端が前記ブルートゥースイヤホンの基準グランドに接続され、前記検出端の電圧を安定化することに用いられ、
前記第２電圧調整コンデンササブモジュールは、一端が前記ブルートゥースイヤホンの基準グランドに接続され、他端が前記ブルートゥースイヤホンの電源電圧端および前記マイクロコントローラモジュールの電源入力端に接続され、前記マイクロコントローラモジュールの電源入力端の電圧を安定化することに用いられる、ことを特徴とする請求項３に記載のブルートゥースイヤホン。
【請求項５】
前記ブルートゥースイヤホンは、ボタン回路およびダイオード離隔回路をさらに備え、
前記ダイオード離隔回路は、一端が前記第２変換モジュールに接続され、他端が前記ボタン回路および前記チップモジュールの第３受信ピンに接続され、
前記ボタン回路は、一端が前記ブルートゥースイヤホンの電源電圧端に接続され、他端が前記チップモジュールの第３受信ピンに接続される、ことを特徴とする請求項３または４に記載のブルートゥースイヤホン。
【請求項６】
前記第１変換モジュールは、第１トランジスタを備え、前記第１トランジスタの第１端が前記マイクロコントローラモジュールの第１出力端に接続され、第２端が前記チップモジュールの第１受信ピンに接続され、第３端が前記ブルートゥースイヤホンの基準グランドに接続され、
前記第２変換モジュールは、第２トランジスタおよび電流制限抵抗を備え、
前記電流制限抵抗は、一端が前記マイクロコントローラモジュールの第１出力端に接続され、他端が前記第２トランジスタの第１端に接続され、
前記第２トランジスタの第２端が前記チップモジュールの第２受信ピンに接続され、前記第２トランジスタの第３端が前記ブルートゥースイヤホンの基準グランドに接続される、ことを特徴とする請求項２から４のいずれか１項に記載のブルートゥースイヤホン。
【請求項７】
前記イヤホン充電インタフェース回路は、第１充電端および第２充電端をさらに備え、
前記第１充電端は、前記チップモジュールの充電電圧ピンに接続され、前記充電ケースの給電ピンへの接続に用いられ、
前記第２充電端は、前記チップモジュールの接地ピンに接続され、前記充電ケースの接地ピンへの接続に用いられる、ことを特徴とする請求項１から４のいずれか１項に記載のブルートゥースイヤホン。
【請求項８】
前記第１電圧は前記第２電圧よりも高い、ことを特徴とする請求項１から４のいずれか１項に記載のブルートゥースイヤホン。
【請求項９】
充電ケースの充電インタフェースと、充電管理回路と、電池とを備えるブルートゥースイヤホン充電ケースであって、
前記充電ケースの充電インタフェースは、前記ブルートゥースイヤホンの検出端への接続に用いられる検知ピンと、前記ブルートゥースイヤホンの第１充電端への接続に用いられる給電ピンと、前記ブルートゥースイヤホンの第２充電端への接続に用いられる接地ピンとを備え、
前記充電管理モジュールは、一端が前記電池の正極に接続され、他端が前記給電ピンに接続され、前記検知ピンがブルートゥースイヤホンの検出端に接続されている時に前記給電ピンに充電電圧を出力することに用いられる、ことを特徴とするブルートゥースイヤホン充電ケース。
【請求項１０】
ユニバーサルシリアルバスインタフェースをさらに備え、
前記ユニバーサルシリアルバスインタフェースの電圧端が前記充電管理回路に接続され、前記ユニバーサルシリアルバスインタフェースの接地端が前記充電ケースの基準グランドに接続され、
前記検知ピン、前記接地ピンおよび前記電池の負極は、いずれも前記充電ケースの基準グランドに接続される、ことを特徴とする請求項９に記載の充電ケース。
【請求項１１】
ブルートゥースイヤホンと、充電ケースとを備えるブルートゥースイヤホンの充電システムであって、
前記ブルートゥースイヤホンは、請求項１から８のいずれか１項に記載のブルートゥースイヤホンを含み、
前記充電ケースは、請求項９または１０に記載の充電ケースを含み、
前記充電ケースの検知ピンが前記ブルートゥースイヤホンの検出端に接続されると、前記充電ケースの充電管理回路は、前記充電ケースの給電ピンに充電電圧を出力する、ことを特徴とするブルートゥースイヤホンの充電システム。
【発明の詳細な説明】
【技術分野】
【０００１】
本発明の実施例は、集積回路の技術分野に関し、特に、ブルートゥースイヤホンおよびその充電ケース、充電システムに関する。
【背景技術】
【０００２】
通信技術の急速な発展に伴い、ブルートゥースイヤホンはますます普及し、人々の生活、仕事および学習に大きな利便性をもたらしている。
【０００３】
従来のブルートゥースイヤホンは、ほとんどが内蔵の充電式電池を電源とする。ブルートゥースイヤホンの正常使用を確保するために、ブルートゥースイヤホン内の充電式電池を充電する必要があり、例えば、ユーザーがブルートゥースイヤホンを使用していない時に、ブルートゥースイヤホンを該ブルートゥースイヤホンの充電ケースに入れて充電する。具体的には、ブルートゥースイヤホンを充電ケースに入れた後に、充電ケースのブルートゥースイヤホンへの充電電圧が予め設定した充電電圧（例えば、５ボルト（Ｖｏｌｔ：Ｖ））に達すれば、ブルートゥースイヤホンは、充電ケースから提供された充電電圧に基づいて自動的にシャットダウンし、充電状態に入ることができる。ブルートゥースイヤホンが充電ケースから離れると、例えば、ブルートゥースイヤホンが充電ケースから取り上げられた後に、該ブルートゥースイヤホンが、充電ケースから提供された５Ｖの充電電圧を検出することができなければ、起動、ペアリング、接続などの操作を自動的に行う。しかし、充電ケースから提供された充電電圧が予め設定した充電電圧よりも低い場合、例えば、充電ケースの電池が切れた場合、ブルートゥースイヤホンは、充電ケースに入れた後に自動的にシャットダウンすることができない。あるいは、内蔵電池が切れてない場合に、充電ケースに入れたブルートゥースイヤホンにシャットダウン、起動、ペアリング、接続などの操作が頻繁に行われ、これによって該ブルートゥースイヤホンに接続可能な携帯電話、タブレットなどのスマート端末は、ユーザーが使用している時に音声を自動的に該ブルートゥースイヤホンに切り替え、ユーザーに、ブルートゥースイヤホンを手動でシャットダウンしたり、スマート端末とブルートゥースイヤホンとの接続を切断したりする必要があるなど、不要な面倒をかけてしまう。
【発明の概要】
【発明が解決しようとする課題】
【０００４】
本発明は、充電ケースから提供された充電電圧の不足による誤起動の問題を解決するためのブルートゥースイヤホンおよびその充電ケース、充電システムを提供する。
【課題を解決するための手段】
【０００５】
第１態様では、本発明の実施例は、イヤホン充電インタフェース回路と、制御回路と、レベル変換回路と、チップモジュールとを備えるブルートゥースイヤホンであって、前記イヤホン充電インタフェース回路は、前記制御回路を介して前記ブルートゥースイヤホンの電源電圧端に接続されて充電ケースの検知ピンへの接続に用いられる検出端を備え、前記検出端が前記充電ケースの検知ピンに接続されていない場合、前記検出端の電圧が前記電源電圧端から提供された第１電圧であり、前記検出端が前記充電ケースの検知ピンに接続されている場合、前記検出端の電圧が第１電圧から、前記検知ピンが提供した第２電圧に変換され、前記レベル変換回路に第１レベル信号を出力するように前記制御回路をトリガし、前記レベル変換回路は、前記第１レベル信号をシャットダウン信号に変換し、前記シャットダウン信号をチップモジュールに伝送し、前記シャットダウン信号に従ってブルートゥースイヤホンをシャットダウンするように前記チップモジュールをトリガすることに用いられるブルートゥースイヤホンを提供する。
【０００６】
第２態様では、本発明の実施例は、充電ケースの充電インタフェースと、充電管理回路と、電池とを備えるブルートゥースイヤホン充電ケースであって、前記充電ケースの充電インタフェースは、前記ブルートゥースイヤホンの検出端への接続に用いられる検知ピンと、前記ブルートゥースイヤホンの第１充電端への接続に用いられる給電ピンと、前記ブルートゥースイヤホンの第２充電端への接続に用いられる接地ピンとを備え、前記充電管理モジュールは、一端が前記電池の正極に接続され、他端が前記給電ピンに接続され、前記検知ピンがブルートゥースイヤホンの検出端に接続されている時に前記給電ピンに充電電圧を出力するために用いられるブルートゥースイヤホン充電ケースをさらに提供する。
【０００７】
第３態様では、本発明の実施例は、ブルートゥースイヤホンと、充電ケースとを備えるブルートゥースイヤホンの充電システムであって、ブルートゥースイヤホンが第１態様に記載のブルートゥースイヤホンを含み、充電ケースが第２態様に記載の充電ケースを含み、前記充電ケースの検知ピンが前記ブルートゥースイヤホンの検出端に接続されると、前記充電ケースの充電管理回路は、前記充電ケースの給電ピンに充電電圧を出力する、ブルートゥースイヤホンの充電システムをさらに提供する。
【発明の効果】
【０００８】
本発明の実施例は、イヤホン充電インタフェース回路の検出端の電圧が第１電圧から、充電ケースの検知ピンが提供した第２電圧に変換されと、制御回路およびレベル変換回路を介して、チップモジュールによってブルートゥースイヤホンをシャットダウンするようにチップモジュールにシャットダウン信号を出力することができるため、従来技術における充電ケースの充電電圧の不足によるブルートゥースイヤホンの誤起動の問題を解決する。
【図面の簡単な説明】
【０００９】
【図１】本発明の実施例に係るブルートゥースイヤホンの構造を示すブロック図である。
【図２】本発明のオプションの実施例のブルートゥースイヤホンの構造を示すブロック図である。
【図３】本発明の別のオプションの実施例のブルートゥースイヤホンの構造を示すブロック図である。
【図４】本発明の一例示におけるブルートゥースイヤホンの構造模式図である。
【図５】本発明の実施例のブルートゥースイヤホン充電ケースの構造を示すブロック図である。
【図６】本発明のオプションの実施例のブルートゥースイヤホン充電ケースの構造模式図である。
【図７】本発明の実施例のブルートゥースイヤホンの充電システムの構造を示すブロック図である。
【発明を実施するための形態】
【００１０】
以下、図面および実施例を参照しながら本発明についてさらに詳細に説明する。なお、ここで説明する具体的な実施例は、本発明を解釈するためのものに過ぎず、本発明を限定するものではないことが理解されるべきである。また、説明の便宜上、図面には、全体構造ではなく、本発明に関わる部分のみが示されている。
【００１１】
図１は、本発明の実施例のブルートゥースイヤホンの構造を示すブロック図を示す。該ブルートゥースイヤホンは、イヤホン充電インタフェース回路１１０と、制御回路１２０と、レベル変換回路１３０と、チップモジュール１４０とを備えてもよい。
【００１２】
ここで、イヤホン充電インタフェース回路１１０は、制御回路１２０を介してブルートゥースイヤホンの電源電圧端ＶＢＡＴに接続されることができるとともに充電ケースの検知ピンへの接続に用いられることが可能な検出端を備えてもよい。具体的には、検出端が充電ケースの検知ピンに接続されていない場合、該検出端の電圧が電源電圧端ＶＢＡＴから提供された第１電圧であり、検出端が充電ケースの検知ピンに接続されている場合、該検出端の電圧が第１電圧から検知ピンから提供された第２電圧に変換され、レベル変換回路１３０に第１レベル信号を出力するように制御回路１２０をトリガすることができる。レベル変換回路１３０は、制御回路１２０から出力される第１レベル信号をシャットダウン信号に変換し、該シャットダウン信号をチップモジュール１４０に伝送し、該シャットダウン信号に従ってブルートゥースイヤホンをシャットダウンするようにチップモジュール１４０をトリガすることに用いられてもよい。
【００１３】
以上のようにして、本発明の実施例では、イヤホン充電インタフェース回路１１０の検出端が充電ケースの検知ピンに接続される場合、例えばブルートゥースイヤホンを充電ケースに入れると、該ブルートゥースイヤホンのイヤホン充電インタフェース回路１１０の検出端がコネクタで充電ケースの検知ピンに接続されるなどのことができ、検出端の電圧は、電源電圧端ＶＢＡＴが提供した第１電圧から、充電ケースの検知ピンから提供された第２電圧に変換され、それにより、レベル変換回路１３０に第１レベル信号を出力するようにブルートゥースイヤホン内の制御回路１２０をトリガし、その後、レベル変換回路１３０により該第１レベル信号をシャットダウン信号に変換し、ブルートゥースイヤホンのチップモジュール１４０に伝送することができる。これによって、該シャットダウン信号に従ってブルートゥースイヤホンをシャットダウンし、例えばシャットダウン動作を実行するように該チップモジュール１４０をトリガし、ブルートゥースイヤホンの自動シャットダウンを実現する。
【００１４】
以上から分かるように、本発明の実施例では、イヤホン充電インタフェース回路１１０の検出端の電圧が第１電圧から、充電ケースの検知ピンが提供した第２電圧に変換されると、制御回路１２０およびレベル変換回路１３０を介して、チップモジュール１４０によってブルートゥースイヤホンをシャットダウンするようにチップモジュール１４０にシャットダウン信号を出力することができ、それにより、従来技術における、充電ケースから提供された充電電圧が予め設定した充電電圧よりも低く、ブルートゥースイヤホンを該充電ケースに入れた後に自動的にシャットダウンすることができないという問題を解決し、すなわち、従来技術における充電ケースの充電電圧の不足によるブルートゥースイヤホンの誤起動の問題を解決する。
【００１５】
具体的な実現では、オプションとして、電源電圧端ＶＢＡＴから提供された第１電圧は、充電ケースの検知ピンから提供された第２電圧より高くてもよい。例えば、電源電圧端ＶＢＡＴから提供された第１電圧は、高レベル電圧、例えば、５ボルトの高レベル電圧であってもよい。充電ケースの検知ピンから提供された第２電圧は、低レベル電圧であってもよく、例えば、充電ケースの検知ピンが基準グランドに接続されている場合、第２電圧が０ボルトの低レベル電圧などであってもよい。
【００１６】
本発明の一例として、電源電圧端ＶＢＡＴから提供された第１電圧が高レベル電圧であり、充電ケースの検知ピンから提供された第２電圧が低レベル電圧である場合、イヤホン充電インタフェース回路１１０の検出端が充電ケースの検知ピンに接続されていなければ、例えばブルートゥースイヤホンが充電ケースから離れた後、該イヤホン充電インタフェース回路１１０の検出端の電圧が高レベル電圧であり、イヤホン充電インタフェース回路１１０の検出端が充電ケースの検知ピンに接続されていれば、該イヤホン充電インタフェース回路１１０の検出端の電圧が充電ケースの検知ピンの電圧によって降下され、すなわち、イヤホン充電インタフェース回路１１０の検出端の電圧が高レベル電圧から低レベル電圧に変換される。例えば、ブルートゥースイヤホンを充電ケースに入れると、充電ケースの検知ピンは、コネクタを介してイヤホン充電インタフェース回路１１０の検出端に接続されることができ、これによって検出端の電圧が高レベル電圧から低レベル電圧に変換され、結果として、レベル変換回路１３０に第１レベル信号を出力するように制御回路１２０をトリガすることができる。具体的には、検出された検出端の電圧が高レベル電圧から低レベル電圧に変換されると、制御回路１２０は、高レベル信号を出力し、該高レベル信号を第１レベル信号としてレベル変換回路１３０に伝送することができる。これによって、１つのシャットダウン信号をチップモジュール１４０に出力するようにレベル変換回路１３０をトリガすることができる。これによって、チップモジュール１４０は、該シャットダウン信号を検出するとシャットダウン動作を実現し、すなわち、ブルートゥースイヤホンをシャットダウンする。
【００１７】
以上から分かるように、本例では、イヤホン充電インタフェース回路１１０の検出端の電圧が充電ケースの検出端から提供された低レベル電圧に降下された場合、制御回路１２０およびレベル変換回路１３０を介してチップモジュール１４０にシャットダウン信号を出力することができ、これによって、チップモジュール１４０は、該シャットダウン信号に従ってブルートゥースイヤホンをシャットダウンすることができる。これによって、充電ケースに入れたブルートゥースイヤホンは、充電ケースが電力不足であっても自動的にシャットダウンすることができ、すなわち、従来のブルートゥースイヤホンが充電ケースの充電電圧によって自動的にシャットダウンできないという問題を解決し、さらに、充電ケースに入れたブルートゥースイヤホンがスマート端末に接続されるという問題を回避することができ、ブルートゥースイヤホンの使用中の安定性を確保し、ユーザー体験を向上させる。
【００１８】
もちろん、本発明の実施例は、ブルートゥースイヤホンが充電ケースから離れる時にもブルートゥースイヤホンの起動を自動的に実現することができるため、ユーザーが手動で起動するという手間を回避し、ユーザーの操作を簡略化することができる。オプションとして、制御回路１２０は、検出端の電圧の検出に用いることができ、検出端の電圧が第１電圧であることを検出すると、レベル変換回路１３０に第２レベル信号を出力する。具体的には、検出端の電圧が電源電圧端ＶＢＡＴから提供された第１電圧である場合、例えば、ブルートゥースイヤホンが充電ケースから離れると、イヤホン充電インタフェース回路の検出端と充電ケースの検知ピンとの間の接続が切断され、検出端の電圧を充電ケースの検知ピンから提供された第２電圧から、電源電圧端ＶＢＡＴが提供した第１電圧に変換することができ、それにより、チップモジュール１４０に１つの起動信号を出力するようにレベル変換回路１３０をトリガするために、レベル変換回路１３０に第２レベル信号を出力するように制御回路１２０をトリガすることができる。ここで、レベル変換回路１３０は、第２レベル信号を起動信号に変換し、起動信号をチップモジュール１４０に伝送することに用いられることができ、それにより、起動信号に従ってブルートゥースイヤホンを起動させるようにチップモジュール１４０をトリガし、ブルートゥースイヤホンの自動起動を実現することができる。
【００１９】
ここで、チップモジュール１４０は、前記ブルートゥースイヤホンが作動していない時に、前記起動信号に従って前記ブルートゥースイヤホンを起動させることに用いられることができる。例えば、チップモジュール１４０は、起動信号を受信すると、現在ブルートゥースイヤホンがシャットダウン状態にあるか否かを検出し、これによって該起動信号に基づいて起動動作を実行するか否かを決定することができる。現在ブルートゥースイヤホンがシャットダウン状態にあると検出すると、すなわち、ブルートゥースイヤホンがシャットダウンされていると、起動信号に従ってブルートゥースイヤホンを起動させ、すなわち、起動動作を実行し、ブルートゥースイヤホンの自動起動を実現する。オプションとして、現在ブルートゥースイヤホンがシャットダウンされていない状態、例えば作動状態にあると検出すると、該シャットダウン信号を無視してもよく、あるいは、該起動信号に基づいて他の動作などを実行してもよく、本発明の実施例ではこれに対して具体的に限定しない。
【００２０】
本発明の１つのオプションの実施例において、上記制御回路１２０は、マイクロコントローラ制御回路であってもよく、具体的には、マイクロコントローラモジュール１２１を備えてもよい。レベル変換回路１３０は、具体的に、第１変換モジュール１３１および第２変換モジュール１３２を備えてもよい。図２に示すように、第１変換モジュール１３１は、一端がマイクロコントローラモジュール１２１の第１出力端に接続され、他端がチップモジュール１４０の第１受信ピンに接続され、マイクロコントローラモジュール１２１の第１出力端から出力された第１レベル信号をシャットダウン信号に変換し、該シャットダウン信号をチップモジュール１４０の第１受信ピンに伝送することに用いられる。第２変換モジュール１３２は、一端がマイクロコントローラモジュール１２１の第２出力端に接続され、他端がチップモジュール１４０の第２受信ピンに接続され、マイクロコントローラモジュール１２１の第２出力端から出力された第２レベル信号を起動信号に変換し、該起動信号をチップモジュール１４０の第２受信ピンに伝送することに用いられる。
【００２１】
具体的には、ブルートゥースイヤホンが充電ケースに入れて充電される場合、充電ケースの検知ピンは、ブルートゥースイヤホンのイヤホン充電インタフェース回路１１０の検出端に接続されることができ、これによってイヤホン充電インタフェース回路１１０の検出端の電圧が第１電圧から第２電圧に変換され、且つ、該イヤホン充電インタフェース回路１１０の検出端は制御回路１２０内のマイクロコントローラモジュール１２１に接続できる。マイクロコントローラモジュール１２１は、検出端の電圧が第１電圧から第２電圧に変換されたことを検出すると、第１出力端によりレベル変換回路１３０内の第１変換モジュール１３１に第１レベル信号を出力することができ、これによってチップモジュール１４０にシャットダウン信号を出力するように第１変換モジュール１３１をトリガする。これによって、チップモジュール１４０は、シャットダウン信号に従ってブルートゥースイヤホンをシャットダウンし、充電状態に入ることができる。ブルートゥースイヤホンが充電ケースから取り上げられると、イヤホン充電インタフェース回路１１０の検出端は、制御回路１２０（例えば、制御回路１２０内の抵抗、導線など）により電源電圧端ＶＢＡＴに接続でき、これによって検出端の電圧が電源電圧端ＶＢＡＴの電圧によって上昇され、すなわち、イヤホン充電インタフェース回路１１０の検出端の電圧が第２電圧から第１電圧に変換されることができることにより、ブルートゥースイヤホンの起動信号を生成するようにマイクロコントローラモジュール１２１をトリガする。マイクロコントローラモジュール１２１は、第２出力端によりレベル変換回路１３０内の第２変換モジュール１３２に第２レベル信号を出力することができ、これによってチップモジュール１４０に起動信号を出力するように第２変換モジュール１３２をトリガし、結果として、チップモジュールが起動信号に従ってブルートゥースイヤホンを起動させることができ、ブルートゥースイヤホンの自動起動を実現する。その後、ペアリング、接続などの動作を自動的に行うことができ、これによってブルートゥースイヤホンと他の装置との通信接続関係を確立し、それにより、ブルートゥースイヤホンは、音声データの受信および／または送信などのような他の装置との通信が可能となる。
【００２２】
本発明の実施例において、オプションとして、制御回路１２０は、電圧調整コンデンサモジュール１２２および静電防止ダイオードモジュール１２３をさらに備えてもよい。図３に示すように、静電防止イヤホンモジュール１２３は、一端がイヤホン充電インタフェース回路１１０の検出端ＤＥＴＥＣＴＯＲＰＯＲＴに接続され、他端がブルートゥースイヤホンの基準グランドに接続される。該静電防止イヤホンモジュール１２３は、１つまたは複数の静電防止ダイオード、例えば、静電気放電（ＥＳＤ：Ｅｌｅｃｔｒｏ−Ｓｔａｔｉｃ Ｄｉｓｃｈａｒｇｅ）ダイオードなどを備えてもよく、外部からの静電気によるブルートゥースイヤホンの破損を効果的に防止することができる。電圧調整コンデンサモジュール１２２は、第１電圧調整コンデンササブモジュール１２２１および第２電圧調整コンデンササブモジュール１２２２を備えてもよい。ここで、第１電圧調整コンデンササブモジュール１２２１は、一端がイヤホン充電インタフェース回路の検出端ＤＥＴＥＣＴＯＲ  ＰＯＲＴに接続され、他端がブルートゥースイヤホンの基準グランドに接続され、検出端ＤＥＴＥＣＴＯＲ  ＰＯＲＴの電圧を安定化することに用いられる。第２電圧調整コンデンササブモジュール１２２２は、一端がブルートゥースイヤホンの基準グランドに接続され、他端がブルートゥースイヤホンの電源電圧端ＶＢＡＴおよびマイクロコントローラモジュール１２１の電源入力端ＶＤＤに接続され、前記マイクロコントローラモジュールの電源入力端ＶＤＤの電圧を安定化することに用いられる。
【００２３】
例えば、第１電圧調整コンデンササブモジュール１２２１は、１つまたは複数のコンデンサを備えてもよく、具体的には、イヤホン充電インタフェース回路１１０および充電ケースの充電インタフェースの瞬時ジッタを防止することができることで、該瞬時ジッタの検出端ＤＥＴＥＣＴＯ  ＲＰＯＲＴ電圧への影響を防止し、イヤホン充電インタフェース回路１１０の検出端の電圧を安定化する目的を達成することができる。
【００２４】
もちろん、第２電圧調整コンデンササブモジュール１２２２は、１つまたは複数のコンデンサを備えてもよく、本発明の実施例ではこれに対して具体的に限定しない。電圧調整コンデンササブモジュール１２２２内のコンデンサは、マイクロコントローラモジュール１２１の電源入力端ＶＤＤに接続でき、且つ、マイクロコントローラモジュール１２１の電源入力端ＶＤＤのデカップリングコンデンサとして、マイクロコントローラモジュール１２１の安定性を強化させることができる。ここで、マイクロコントローラモジュール１２１の電源入力端ＶＤＤは、ブルートゥースイヤホンの電源電圧端ＶＢＡＴに直接接続することができる。
【００２５】
本発明の１つのオプションの実施例において、ブルートゥースイヤホンは、ボタン回路１５０およびダイオード離隔回路１６０をさらに備えてもよい。図３に示すように、前記ダイオード離隔回路１６０は、一端が前記第２変換モジュール１３２に接続され、他端が前記ボタン回路１５０および前記チップモジュールの第３受信ピンに接続されることにより、ボタン回路がユーザーから入力されたボタン押し動作を受信する時に第２変換モジュール１３２に対してレベル変換動作を実行し、チップモジュール１４０を誤動作させることを防止することができ、チップモジュール１４０がユーザーから入力されたボタン押し動作に正常に応答できることを確保し、ユーザーの操作ニーズを満たす。ボタン回路１５０は、一端がブルートゥースイヤホンの電源電圧端ＶＢＡＴに接続され、他端がチップモジュール１４０の第３受信ピンに接続され、これによって、チップモジュールは、ユーザーがボタン回路１５０で入力したボタン押し動作を検出することができ、さらに、検出されたボタン押し動作に従って対応する動作を実行することができ、ユーザーの操作ニーズを満たし、ユーザー体験を向上させる。
【００２６】
具体的な実現において、オプションとして、本発明の実施例における第１変換モジュール１３１は、第１トランジスタＱ１を備え、且つ、該第１トランジスタＱ１の第１端がマイクロコントローラモジュール１２１の第１出力端に接続でき、第１トランジスタＱ１の第２端がチップモジュール１４０の第１受信ピンに接続でき、そして第１トランジスタＱ１の第３端がブルートゥースイヤホンの基準グランドに接続される。マイクロコントローラモジュール１２１の第１出力端から出力された第１レベル信号が第１トランジスタＱ１の第１端に伝送されると、第１トランジスタＱ１が導通して第１トランジスタＱ１の第３端にシャットダウン信号を生成させ、且つ、該シャットダウン信号がチップモジュール１４０の第１受信ピンに伝送可能である。チップモジュール１４０は、第１受信ピンにより該シャットダウン信号を検出することができ、その後、該シャットダウン信号に基づいてシャットダウン動作を実行し、ブルートゥースイヤホンの自動シャットダウンを実現し、操作を簡略化することができる。ここで、第１トランジスタＱ１は、Ｎ型金属−酸化物−半導体（ＮＭＯＳ：Ｎ−Ｍｅｔａｌ−Ｏｘｉｄｅ−Ｓｅｍｉｃｏｎｄｕｃｔｏｒ）トランジスタであってもよく、他のタイプのトランジスタであってもよく、例えば、トリオードなどであってもよく、本発明の実施例ではこれに対して限定しない。
【００２７】
なお、本発明の実施例における第２変換モジュール１３２は、第２トランジスタＱ２および電流制限抵抗Ｒ１を備えてもよい。ここで、電流制限抵抗Ｒ１は、一端がマイクロコントローラモジュール１２１の第１出力端に接続でき、他端が第２トランジスタＱ２の第１端に接続できる。第２トランジスタＱ２の第２端は、チップモジュール１４０の第２受信ピンに接続でき、そして第２トランジスタＱ２の第３端がブルートゥースイヤホンの基準グランドに接続できる。具体的には、マイクロコントローラモジュール１２１の第２出力端は、第２レベル信号を出力し、電流制限抵抗Ｒ１により第２トランジスタＱ２の第１端に伝送して第２トランジスタＱ２を導通させることができる。第２トランジスタＱ２が導通すると、第２トランジスタＱ２の第２端が起動信号を生成し、チップモジュール１４０の第２受信ピンは起動信号を検出することができ、それにより、該起動信号に従って起動動作を実行するようにチップモジュール１４０をトリガし、ブルートゥースイヤホンの自動起動を実現し、操作を簡略化することができる。なお、第２トランジスタＱ２は、ＮＭＯＳトランジスタであってもよく、他のタイプのトランジスタであってもよく、例えば、トリオードなどであってもよく、本発明の実施例ではこれに対して限定しない。
【００２８】
完全ワイヤレスステレオ（ＴＷＳ：Ｔｒｕｅ  Ｗｉｒｅｌｅｓｓ  Ｓｔｅｒｅｏ）ブルートゥースイヤホンを例として、図４に示すように、ＴＷＳブルートゥースイヤホンが充電ケース内で充電されている場合、充電ケースの検知ピンＤＥＴＥＣＴＥＲ  ＰＩＮは、コネクタＰＯＧＯ  ＰＩＮでブルートゥースイヤホンのイヤホン充電インタフェース回路１１０の検出端ＤＥＴＥＣＴＯＲ  ＰＯＲＴに接続できるため、検出端ＤＥＴＥＣＴＯＲ  ＰＯＲＴの電圧が高レベル電圧から低レベル電圧に変換される。ここで、検出端ＤＥＴＥＣＴＯＲ  ＰＯＲＴの高レベル電圧は、電源電圧端ＶＢＡＴが抵抗Ｒ２に接続されることにより生成でき、且つ、検出端ＤＥＴＥＣＴＯ  ＲＰＯＲＴは、１つまたは複数の抵抗Ｒ３を介して制御回路１２０内のマイクロコントローラモジュール１２１に接続、例えば、マイクロコントローラモジュール１２１の第１ピンＶＰＰに接続されることができ、これによって、マイクロコントローラモジュール１２１は、該第１ピンＶＰＰで高レベル電圧から低レベル電圧への変換を検出することができる。高レベル電圧から低レベル電圧への変換が検出されると、マイクロコントローラモジュール１２１の第１出力端は、第１レベル信号、例えば５秒の高レベル信号を出力し、抵抗Ｒ４を介してレベル変換回路１３０内の第１変換モジュール１３１に伝送し、すなわち、第１トランジスタＱ１のゲート（すなわち、第１トランジスタＱ１の第２端）に伝送することができ、これによって、第１変換モジュール１３１内の第１トランジスタＱ１のドレインＤ（すなわち、第１トランジスタＱ１の第１端）とブルートゥースイヤホンの基準グランドＧＮＤが導通され、それにより、シャットダウン信号、例えば５秒の低レベル信号を生成し、さらに、チップモジュール１４０の第１受信ピンＰＩＯ１７が１つの５秒の低レベル信号を検出することができるようにし、ブルートゥースイヤホンのシャットダウン動作が実現できる。オプションとして、第１トランジスタＱ１のゲートは、１つまたは複数の抵抗Ｒ５を介してブルートゥースイヤホンの基準グランドＧＮＤに接続してもよく、本例ではこれに対して限定しない。
【００２９】
ＴＷＳブルートゥースイヤホンが充電ケースから取り上げられると、イヤホン充電インタフェース回路１１０内の検出端ＤＥＴＥＣＴＯＲ  ＰＯＲＴは、制御回路１２０内の抵抗Ｒ２を介してブルートゥースイヤホンの電源電圧端ＶＢＡＴに接続でき、検出端ＤＥＴＥＣＴＯ  ＲＰＯＲＴの電圧は、電源電圧端ＶＢＡＴによって上昇され、すなわち、検出端ＤＥＴＥＣＴＯＲ  ＰＯＲＴの電圧は、低レベル電圧から高レベル電圧に変換されることができる。マイクロコントローラモジュール１２１は、検出端ＤＥＴＥＣＴＯＲ  ＰＯＲＴの電圧が低レベル電圧から高レベル電圧に変換されたことを第１ピンＶＰＰによって検出すると、第２出力端により第２レベル信号、例えば、３秒の高レベル信号を出力することができ、且つ、レベル変換回路１３０内の第２変換モジュール１３２に伝送することができ、例えば、第２変換モジュール１３２内の電流制限抵抗Ｒ１を介して第２レベル信号を第２変換モジュール１３２内の第２トランジスタＱ２に伝送し、すなわち、第２トランジスタＱ２のゲート（すなわち、第１トランジスタＱ２の第１端）に伝送し、これによって第２トランジスタＱ２を導通させ、結果として、１つの起動信号を生成する。具体的には、第２トランジスタＱ２のドレインＤ（すなわち、第２トランジスタＱ２の第２端）とブルートゥースイヤホンの基準グランドＧＮＤが導通されると、チップモジュール１４０の第２受信ピンＰＩＯ２は、３秒の低レベル信号を検出し、検出されたこの３秒の低レベル信号を起動信号とすることができ、これによって、該起動信号に従って起動動作を実行し、ブルートゥースイヤホンの自動起動機能を実現することができる。オプションとして、第２トランジスタＱ２のゲートは、１つまたは複数の抵抗Ｒ６を介してブルートゥースイヤホンの基準グランドＧＮＤに接続してもよく、本例ではこれに対して限定しない。
【００３０】
さらに、本発明の実施例における第１電圧調整コンデンササブモジュール１２２１は、１つまたは複数のコンデンサを備えてもよく、例えば、図４に示すコンデンサＣ１を備えてもよく、具体的には、イヤホンのインタフェースおよび充電ケースのインタフェースの瞬時ジッタを防止し、ブルートゥースイヤホンのイヤホン充電インタフェース回路の検出端ＤＥＴＥＣＴＯＲ  ＰＯＲＴの電圧を安定化するために用いることができる。オプションとして、第２電圧調整コンデンササブモジュール１２２２は、１つまたは複数のコンデンサを備えてもよく、例えば、図４に示すコンデンサＣ２を備えてもよく、マイクロコントローラモジュールのデカップリングコンデンサとして、マイクロコントローラモジュールの安定性を向上させることができる。
【００３１】
なお、静電防止ダイオードモジュール１２３は、１つまたは複数のＥＳＤダイオードを備えてもよく、例えば、図４に示すＥＳＤダイオードＤ１を備えてもよい。図４に示すように、ＥＳＤダイオードＤ１は、一端がブルートゥースイヤホンの基準グランドに接続でき、他端がイヤホン充電インタフェース回路の検出端ＤＥＴＥＣＴＯＲ  ＰＯＲＴに接続でき、外部からの静電気によるブルートゥースイヤホンの破損を効果的に防止することができる。
【００３２】
本発明の実施例において、オプションとして、前記イヤホン充電インタフェース回路１１０は、第１充電端１１１および第２充電端１１２をさらに備えてもよい。ここで、第１充電端１１１は、チップモジュール１４０の充電電圧ピンＶＣＨＧに接続でき、且つ、前記充電ケースの給電ピンへの接続に用いられる。第２充電端１１２は、チップモジュール１４０の接地ピンに接続でき、且つ、前記充電ケースの接地ピンへの接続に用いられる。図４に示すように、第１充電端１１１は、接続インタフェースＶＣＨを介してチップモジュール１４０の充電電圧ピンＶＣＨＧに接続でき、具体的には、充電ケースの給電ピンから出力された充電電圧などを受信するために用いることができる。第２充電端１１２は、ブルートゥースイヤホンの基準グランドＧＤＮに直接接続でき、具体的には、充電ケースの接地ピンから出力された接地電圧などを受信するために用いることができる。
【００３３】
さらに、本発明の実施例におけるボタン回路１５０は、ボタンＳ１および抵抗Ｒ７を備えてもよい。図４に示すように、ボタン回路１５０は、抵抗Ｒ７を介して電源電圧端ＶＢＡＴに接続でき、且つ、ボタンＳ１を介してチップモジュール１４０の第３受信ピンＲＥＧＥＮに接続でき、これによってユーザーがボタンＳ１を操作する時に、電源電圧端ＶＢＡＴから提供された第１電圧に基づき、対応する操作信号を生成してチップモジュール１４０の第３受信ピンＲＥＧＥＮに伝送することができ、これによって、チップモジュール１４０が該操作信号に従って対応する操作動作を実行するようにし、ユーザーの操作ニーズを満たす。
【００３４】
本発明の実施例におけるダイオード離隔回路は、１つまたは複数のダイオードを備えてもよく、例えば、図４に示すダイオードＤ２を備えてもよい。ダイオードＤ２は、一端が第２変換モジュール内の第２トランジスタＱ２のゲートに接続され、他端がボタン回路のボタンＳ１に接続され、具体的には、ボタンが押される時にレベル変換回路１３０を動作させてチップモジュール１４０を誤動作させることを防止するために用いることができる。具体的には、チップモジュール１４０は、ソフトウェアが設定した電話の受話や切断、音楽の一時停止や再生などのような機能動作に基づくことができる。ユーザーがボタンＳ１を操作することで、チップモジュール１４０の第３受信ピンＲＥＧＥＮは、対応する操作信号を受けることができ、これによって、チップモジュール１４０は該操作信号に従って対応する操作動作を実現する。ダイオードＤ２は一方向導通作用を有する。ボタンＳ１がユーザーに操作されると、Ｒ７を介してＶＢＡＴに接続された高レベル信号がＤ５を通過できず、これによって第１トランジスタＱ１、第２トランジスタＱ２が導通され、すなわち、チップモジュール１４０の第１受信ピンＰＩＯ１７、第２受信ピンＰＩＯ２は、高レベルから低レベルへのレベル変換を検出していない。それにより、チップモジュール１４０がブルートゥースイヤホンの機能リスト内の電話の受話や切断、音楽の一時停止や再生などの動作を実現できることを確保できる。
【００３５】
以上のようにして、本発明の実施例では、イヤホン充電インタフェースの検出端が充電ケースの検知ピンに接続されると、ブルートゥースイヤホン内のチップモジュールでブルートゥースイヤホンの自動シャットダウンを実現することができ、充電ケースの充電電圧の不足によるブルートゥースイヤホンの誤起動の問題を解決した。
【００３６】
なお、本発明の実施例における充電ケースはブルートゥースイヤホンに充電することができるだけでなく、ブルートゥースイヤホンを配置することもできるため、ユーザーはブルートゥースイヤホンを収納しやすくなる。
【００３７】
図５は、本発明の実施例のブルートゥースイヤホン充電ケースの構造を示すブロック図を示す。該ブルートゥースイヤホン充電ケースは、充電ケースの充電インタフェース５１０と、充電管理回路５２０と、電池５３０とを備えてもよい。ここで、前記充電ケースの充電インタフェース５１０は、検知ピン５１１と、給電ピン５１２と、接地ピン５１３とを備え、該検知ピン５１１がブルートゥースイヤホンの検出端への接続に用いられ、給電ピン５１２が前記ブルートゥースイヤホンの第１充電端への接続に用いられ、そして、接地ピン５１３が前記ブルートゥースイヤホンの第２充電端への接続に用いられる。充電管理モジュール５２０は、一端が電池５３０の正極に接続され、他端が給電ピン５１３に接続され、検知ピン５１１がブルートゥースイヤホンの検出端に接続される時に、給電ピン５１１に充電電圧を出力することに用いられる。
【００３８】
例えば、ブルートゥースイヤホンが充電ケースに入れると、該ブルートゥースイヤホンのイヤホン充電インタフェース回路の検出端が充電ケースの検知ピン５１１に接続でき、これによって充電管理回路５２０は、現在の電池残量に基づいて充電ケースの充電インタフェース５１０の給電ピンに充電電圧を出力することができ、例えば、給電ピン５１２の電圧を５Ｖの充電電圧に維持するように制御し、該充電電圧に基づいてブルートゥースイヤホンに充電する。もちろん、ブルートゥースイヤホンのイヤホン充電インタフェース回路の検出端が充電ケースの検知ピン５１１に接続されていない場合、例えば、ブルートゥースイヤホンが充電ケースから離れると、充電管理回路５２０は、給電ピン５１３への充電電圧の出力を停止してもよく、すなわち、給電ピン５１３の電圧を５Ｖの充電電圧に維持する必要がなく、それにより、充電ケース内の電池の電力を消費しなくてもよい。
【００３９】
以上から分かるように、本発明の実施例における充電ケースは、検知ピン５１１がブルートゥースイヤホンの検出端に接続されている場合、給電ピン５１２に充電電圧を出力し、検知ピン５１１がブルートゥースイヤホンの検出端に接続されていない場合、給電ピン５１２への出力を切断することができ、それにより、充電ケースの自己消費電力を大幅に減少することができる。
【００４０】
本発明の１つのオプションの実施例において、該充電ケースは、ユニバーサルシリアルバスインタフェース（ＵＳＢ：Ｕｎｉｖｅｒｓａｌ  Ｓｅｒｉａｌ  Ｂｕｓ）５４０をさらに備える。図６に示すように、ユニバーサルシリアルバスインタフェース５４０の電圧端ＶＢＵＳが充電管理回路５２０に接続され、ユニバーサルシリアルバスインタフェース５４０の接地端が充電ケースの基準グランドＧＮＤに接続され、充電ケースの充電インタフェース５１０の検知ピン５１１、充電ケースの充電インタフェース５１０の接地ピン５１３および電池５３０の負極は、それぞれ前記充電ケースの基準グランドＧＮＤに接続できる。電池５３０の正極は、充電管理回路５２０に接続できる。さらに説明すると、ユニバーサルシリアルバスインタフェース５４０の電圧端ＶＢＵＳは、充電ケースの電源端ＶＣＣに接続してもよく、本発明の実施例ではこれに対して限定しない。
【００４１】
具体的な実現において、ブルートゥースイヤホンのイヤホン充電インタフェース回路の検出端が充電ケースの検知ピン５１１に接続されると、充電管理回路５２０は、ブルートゥースイヤホンがフル充電したか否かを検出することができる。ブルートゥースイヤホンがフル充電したと検出すると、該充電管理回路５２０に予め設定した昇圧充電方式に基づいて、充電ケースの充電インタフェース５１０の給電ピン５１２への充電電圧の出力を停止することができ、すなわち、充電を自動的に停止することができる。これによって、充電ケース自体の消費電力を減少する。ブルートゥースイヤホンがフル充電していないと検出すると、該ブルートゥースイヤホンを充電する必要があると判定でき、その後、該充電管理回路５２０に予め設定した昇圧充電方式に基づいて充電ケースの充電インタフェース５１０の給電ピン５１２に充電電圧を出力し、給電ピン５１２の電圧を充電電圧に達させ、ブルートゥースイヤホンがフル充電するまで、充電電圧に基づいてブルートゥースイヤホンへの充電を実現する。
【００４２】
なお、充電管理回路５２０は、１種または複数種の昇圧充電方式を用いて充電ケースに入れるブルートゥースイヤホンを充電してもよく、本発明の実施例では、充電管理回路５２０内の昇圧充電方式について具体的に限定しない。例えば、充電ケースがＵＳＢインタフェースを介して電源装置に接続されると、充電管理回路５２０は、電源装置から提供された電力に基づいて、該充電ケース内に入れるブルートゥースイヤホンおよび／または該充電ケース内の電池５３０を充電することなどができる。
【００４３】
上記実施例に加え、本発明の実施例は、ブルートゥースイヤホンの充電システムをさらに提供する。図７に示すように、ブルートゥースイヤホンの充電システムは、ブルートゥースイヤホン７１０と、充電ケース７２０とを備えてもよい。ここで、ブルートゥースイヤホン７１０は、上記実施例に係るいずれか１種のブルートゥースイヤホンを含んでもよく、充電ケース７２０は、上記実施例に係るいずれか１種の充電ケースを含んでもよい。充電ケース７２０の検知ピンがブルートゥースイヤホン７１０の検出端に接続されると、充電ケース７２０の充電管理回路は、充電ケースの給電ピンに充電電圧を出力することができる。
【００４４】
なお、本明細書における各実施例は、漸進的な形態で説明し、それぞれの実施例に対する他の実施例との相違点を中心に説明しており、それぞれの実施例の間の類似部分は互いに参照すればよい。例えば、システムに係る実施例については、説明が比較的簡単であり、関連内容はブルートゥースイヤホンおよび／または充電ケースの実施例の部分の説明を参照すればよい。
【００４５】
以上の実施形態の説明により、当業者であれば、本発明がソフトウェアおよび必要な汎用ハードウェアで実現することができ、もちろん、ハードウェアで実現してもよいが、多くの場合、前者のほうがより好ましい実施形態であることが明らかに理解できる。このような理解に基づき、本発明の技術案は本質的に、または従来技術に貢献する部分がソフトウェア製品の形態で具現化可能であり、該コンピュータソフトウェア製品はコンピュータの可読記憶媒体、例えば、コンピュータのフレキシブルディスク、読み出し専用メモリ（ＲＯＭ：Ｒｅａｄ−ＯｎｌｙＭｅｍｏｒｙ）、ランダムアクセスメモリ（ＲＡＭ：Ｒａｎｄｏｍ  Ａｃｃｅｓｓ  Ｍｅｍｏｒｙ）、フラッシュメモリ（ＦＬＡＳＨ）、ハードディスクまたは光ディスクなどに記憶することができ、そして１台のコンピュータ装置（ロボット、パーソナルコンピュータ、サーバ、またはネットワークデバイスなどであってもよい）が本発明のいずれかの実施例に係るブルートゥースイヤホンの充電方法を実行するための、複数の命令を含む。
【００４６】
なお、上記ブルートゥースイヤホンおよびその充電ケースにおいて、備える各ユニットおよびモジュールは、機能ロジックごとに区画されるものであるが、上記区画に限定されるものではなく、対応する機能が実現できればよい。また、各機能ユニットの具体的な名称も互いに区別しやすいためのものであるが、本発明の保護範囲を限定するものではない。
【００４７】
本発明の各部分は、ハードウェア、ソフトウェア、ファームウェアまたはそれらの組み合わせにより実現できることが理解すべきである。上記実施形態において、複数のステップまたは方法は、メモリに記憶され且つ適切な命令実行システムにより実行されるソフトウェアまたはファームウェアで実現することができる。例えば、ハードウェアで実現すれば、別の実施形態と同様に、データ信号に対して論理機能を実現するための論理ゲート回路を有するディスクリート論理回路、適切な組み合わせ論理ゲート回路を有する特定用途向け集積回路、プログラマブルゲートアレイ（ＰＧＡ）、フィールドプログラマブルゲートアレイ（ＦＰＧＡ）など、本技術分野で公知の技術のいずれか１項またはそれらの組み合わせで実現することができる。
【００４８】
本明細書の説明において、参照用語「１つの実施例」、「いくつかの実施例」、「例」、「具体的な例」、または「いくつかの例」などの説明とは、該実施例または例を参照して説明する具体的な特徴、構造、材料または特点が本発明の少なくとも１つの実施例または例に含まれることを意味する。本明細書において、上記用語に対する模式的な表現は同じ実施例または例を意味するものではない。さらに、説明における具体的な特徴、構造、材料または特点は、いずれか１つまたは複数の実施例または例において適切な形態で組み合わせることができる。
【００４９】
なお、上記は本発明の好ましい実施例および使用される技術原理に過ぎない。当業者であれば、本発明はここに記載の特定の実施例に限定されないことが理解でき、当業者にとって、本発明の保護範囲から逸脱することなく種々の顕著な変化、再調整および置換が可能である。そのため、以上の実施例により本発明を詳細に説明したが、本発明は以上の実施例に限定されず、本発明の要旨から逸脱しない場合、より多くの他の均等な実施例をさらに含んでもよく、本発明の範囲は添付された特許請求の範囲により決定される。
【図１】
2020039243.tif 000003
【図２】
2020039243.tif 000004
【図３】
2020039243.tif 000005
【図４】
2020039243.tif 000006
【図５】
2020039243.tif 000007
【図６】
2020039243.tif 000008
【図７】
2020039243.tif 000009